(57)【特許請求の範囲】
【請求項１】
光ケーブル及び／又は光ファイバーコードの接続に使用するための光成端箱の内部に設けられ、前記光ケーブル及び／又は光ファイバーコードを前記光成端箱に固定するための配線固定具であって、平板状の基部の両側縁を折曲して前記基部と折曲部とで断面略コ字状に形成した固定片と、該固定片に内挿されるクッション部材と、該クッション部材を押圧する押圧板とで成り、前記固定片は前記基部から両側の前記折曲部にかけて切り欠いて前記クッション部材が露出される凹部を複数並設し、該凹部に前記光ケーブル及び／又は光ファイバーコードを配置して前記押圧板と前記固定片の基部とに穿設した螺子挿通孔に螺子を挿通させて該螺子を前記光成端箱に締め付けると、前記押圧板が前記クッション部材を押圧して前記光ケーブル及び／又は光ファイバーコードを固定することを特徴とする配線固定具。
【請求項２】
第一のクッション部材を内挿した第一の固定片の下側に第二のクッション部材を内挿した第二の固定片の凹部が前記第一の固定片の凹部と対向するように配置し、前記第一の固定片の凹部と前記第二の固定片の凹部との間に光ケーブル及び／又は光ファイバーコードを配置し、前記第一のクッション部材に当接させた押圧板と、前記第一の固定片の基部と、前記第二の固定片の基部とに穿設した螺子挿通孔に螺子を挿通させて該螺子を前記光成端箱に締め付けると、前記押圧板が前記第一のクッション部材と前記第二のクッション部材とを押圧して前記光ケーブル及び／又は光ファイバーコードを固定することを特徴とする請求項１に記載の配線固定具。
【発明の詳細な説明】
【０００１】
【産業上の利用分野】
本発明は、光ケーブル及び／又は光ファイバーコードの接続に使用するための光成端箱の内部に設けられ、光ケーブル及び／又は光ファイバーコードを光成端箱に固定するための配線固定具の構造に関する。
【０００２】
【従来の技術】
従来、配線固定具３１は、例えば特開昭６３−１３６００７号公報に開示されるものがある。即ち、光ケーブル（７）の先端には光コネクタ（５）が取り付けられ、光成端箱（１）の側面に設けた配線固定具（４）に光コネクタ（５）を嵌入させることにより、光ケーブル（７）を固定している。
【０００３】
【発明が解決しようとする課題】
しかしながら、直径の異なる複数の光ケーブルを固定する場合、一種類の光コネクタ及び配線固定具では光ケーブルを固定することができないために複数種類の光コネクタ及び配線固定具が必要であり、光ケーブルの直径に応じた光コネクタ及び配線固定具を使用しなければならないという欠点があった。また、多数の光ケーブルを固定する場合、その光ケーブルの本数分だけ光コネクタ及び配線固定具を必要とするために部品点数が多くなり、施工が煩わしくなるとともに時間がかかるという欠点があった。
【０００４】
【課題を解決するための手段】
上記従来の配線固定具の問題点に鑑み、本発明の目的は、圧力に弱い光ケーブル及び／又は光ファイバーコードとか直径の異なる複数の光ケーブル及び／又は光ファイバーコードを容易に固定することができる配線固定具を提供するもので、その構造は、光ケーブル及び／又は光ファイバーコードの接続に使用するための光成端箱の内部に設けられ、光ケーブル及び／又は光ファイバーコードを光成端箱に固定するための配線固定具であって、平板状の基部の両側縁を折曲して基部と折曲部とで断面略コ字状に形成した固定片と、固定片に内挿されるクッション部材と、クッション部材を押圧する押圧板とで成り、固定片は基部から両側の折曲部にかけて切欠形成してクッション部材が露出される凹部を複数並設し、凹部に光ケーブル及び／又は光ファイバーコードを配置して押圧板と固定片の基部とに穿設した螺子挿通孔に螺子を挿通させて螺子を光成端箱に締め付けると、押圧板がクッション部材を押圧して光ケーブル及び／又は光ファイバーコードを固定することである。
【０００５】
また、第一のクッション部材を内挿した第一の固定片の下側に第二のクッション部材を内挿した第二の固定片の凹部が前記第一の固定片の凹部と対向するように配置し、第一の固定片の凹部と第二の固定片の凹部との間に光ケーブル及び／又は光ファイバーコードを配置し、第一のクッション部材に当接させた押圧板と、第一の固定片の基部と、第二の固定片の基部とに穿設した螺子挿通孔に螺子を挿通させて螺子を光成端箱に締め付けると、押圧板が第一のクッション部材と第二のクッション部材とを押圧して光ケーブル及び／又は光ファイバーコードを固定することである。
【０００６】
【発明の実施の形態】
請求項１に記載の配線固定具によれば、光ケーブル及び／又は光ファイバーコードの接続に使用するための光成端箱の内部に設けられ、光ケーブル及び／又は光ファイバーコードを光成端箱に固定するための配線固定具であって、平板状の基部の両側縁を折曲して基部と折曲部とで断面略コ字状に形成した固定片と、固定片に内挿されるクッション部材と、クッション部材を押圧する押圧板とで成り、固定片は基部から両側の折曲部にかけて切り欠いてクッション部材が露出される凹部を複数並設し、凹部に光ケーブル及び／又は光ファイバーコードを配置して押圧板と固定片の基部とに穿設した螺子挿通孔に螺子を挿通させて螺子を光成端箱に締め付けると、押圧板がクッション部材を押圧して光ケーブル及び／又は光ファイバーコードを固定することにより、圧力に弱い光ケーブル及び／又は光ファイバーコードとか直径の異なる複数の光ケーブル及び／又は光ファイバーコードを容易に固定することができる。
【０００７】
請求項２に記載の配線固定具によれば、第一のクッション部材を内挿した第一の固定片の下側に第二のクッション部材を内挿した第二の固定片の凹部が前記第一の固定片の凹部と対向するように配置し、第一の固定片の凹部と第二の固定片の凹部との間に光ケーブル及び／又は光ファイバーコードを配置し、第一のクッション部材に当接させた押圧板と、第一の固定片の基部と、第二の固定片の基部とに穿設した螺子挿通孔に螺子を挿通させて螺子を光成端箱に締め付けると、押圧板が第一のクッション部材と第二のクッション部材とを押圧して光ケーブル及び／又は光ファイバーコードを固定することにより、圧力に弱い光ケーブル及び／又は光ファイバーコードとか直径の異なる複数の光ケーブル及び／又は光ファイバーコードを容易に固定することができる。
【０００８】
【実施例】
本発明に係る配線固定具の第一実施例を図１〜図３の添付図面に基づいて説明する。
【０００９】
配線固定具１は、光ケーブル２や光ファイバーコード３の接続に使用する光成端箱４の内部に設けられ、固定片５とクッション部材６と押圧板７と螺子８，８とから成っている。固定片５は平板状の基部５ａの両側縁を折曲して基部５ａと折曲部５ｄとで断面略コ字状に形成され、固定片５は基部５ａから両側の折曲部５ｄにかけて切り欠いて光ケーブル２や光ファイバーコード３を遊嵌するための複数の凹部５ｂ，５ｂ，５ｂが形成されている。クッション部材６は略直方体で、固定片５の内面に接触する程度の大きさに形成され、固定片５の凹部５ｂから露出するように内挿されている。押圧板７は略平板状で、固定片５の内面間の幅寸法より小さい幅寸法に形成され、クッション部材６の固定片５の基部５ａと接触する側面の対面に当接させられている。また、固定片５及びクッション部材６及び押圧板７の夫々の両端部近傍には螺子挿通孔５ｃ，５ｃ、６ａ，６ａ、７ａ，７ａが穿設され、配線固定具１を光成端箱４に固定するための螺子８，８が挿通されている。
【００１０】
光ケーブル２や光ファイバーコード３を固定するには、光ケーブル２や光ファイバーコード３を配線固定具１の固定片５の凹部５ｂに遊嵌し、固定片５の基部５ａ側を下側にして光成端箱３に設置する。光ケーブル２や光ファイバーコード３は配線固定具１のクッション部材６と光成端箱４により狭持され、光成端箱４に螺子８，８を締め付けていくと押圧板７がクッション部材６を徐々に押圧して光ケーブル２や光ファイバーコード３を固定する。
【００１１】
配線固定具１のクッション部材６は光ケーブル２や光ファイバーコード３の形状に合わせて変形するために直径の異なる光ケーブル２や光ファイバーコード３を同時に固定することができ、また、クッション部材６により光ケーブル２や光ファイバーコード３を押圧するために圧力に弱い光ケーブル２や光ファイバーコード３も容易に固定することができる。
【００１２】
尚、本実施例において、複数の光ケーブルや光ファイバーコードを固定片の一つの凹部に遊嵌させて固定する等、光ケーブルや光ファイバーコードの固定方法に限定はない。
【００１３】
また、本実施例において、クッション部材に螺子挿通孔を穿設したが、長さ寸法を小さくして螺子間より小さい寸法に形成すれば螺子挿通孔を穿設する必要はなく、また、螺子の数量は二個に限らず螺子の数量を増やしても何ら問題なく、また、クッション部材の材質に限定はない。
【００１４】
本発明に係る配線固定具の第二実施例を図４〜図７の添付図面に基づいて説明する。
【００１５】
配線固定具１１は、光ケーブル１２や光ファイバーコード１３の接続に使用する光成端箱１４の内部に設けられ、第一の固定片１５と第二の固定片１６と第一のクッション部材１７と第二のクッション部材１８と押圧板１９と螺子２０，２０とから成っている。
【００１６】
第一の固定片１５は平板状の基部１５ａの両側縁を折曲して基部１５ａと折曲部１５ｄとで断面略コ字状に形成され、第一の固定片１５は基部１５ａから両側の折曲部１５ｄにかけて切り欠いて光ケーブル１２や光ファイバーコード１３を遊嵌するための複数の凹部１５ｂ，１５ｂ，１５ｂが形成させている。また、第二の固定片１６は第一の固定片１５と同様に、平板状の基部１６ａの両側縁を折曲して基部１６ａと折曲部１６ｄとで断面略コ字状に形成され、基部１６ａから折曲部１６ｄにかけて切り欠いて光ケーブル１２や光ファイバーコード１３を遊嵌するための複数の凹部１６ｂ，１６ｂ，１６ｂが形成させている。
【００１７】
第一のクッション部材１７は略直方体で、第一の固定片１５の内面に接触する程度の大きさに形成され、第一の固定片１５の凹部１５ｂから露出するように内挿されている。また、第二のクッション部材１８は第一のクッション部材１７と同様に略直方体で、第二の固定片１６の内面に接触する程度の大きさに形成され、第二の固定片１６の凹部１６ｂから露出するように内挿されている。
【００１８】
押圧板１９は略平板状で、第一の固定片１５の内面間の幅寸法より小さい幅寸法に形成され、第一のクッション部材１７の第一の固定片１５の基部１５ａと接触する側面の対面に当接させられている。また、第一の固定片１５及び第二の固定片１６及び第一のクッション部材１７及び第二のクッション部材１８及び押圧板１９の夫々の両端部近傍には螺子挿通孔が穿設され、配線固定具１１を光成端箱１４に固定するための螺子２０，２０が挿通されている。
【００１９】
光ケーブル１２や光ファイバーコード１３を固定するには、まず、第二の固定片１６の基部１６ａを上側にして光成端箱１４に配置する。それから、光ケーブル１２や光ファイバーコード１３を第二の固定片１６の凹部１６ｂに遊嵌し、第二の固定片１６の基部１６ａの上側に第一の固定片１５の基部１５ａを下側にして第二の固定片１６の凹部１６ｂと第一の固定片１５の凹部１５ｂが一致するようにして載置する。光ケーブル１２や光ファイバーコード１３は第一のクッション部材１７と第二のクッション部材１８により狭持され、光成端箱１４に螺子２０，２０を締め付けていくと押圧板１９が第一のクッション部材１７及び第二のクッション部材１８を徐々に押圧して光ケーブル１２や光ファイバーコード１３を固定する。
【００２０】
配線固定具１１の第一のクッション部材１７及び第二のクッション部材１８は光ケーブル１２や光ファイバーコード１３の形状に合わせて変形するために直径の異なる光ケーブル１２や光ファイバーコード１３を同時に固定することができ、また、第一のクッション部材１７及び第二のクッション部材１８により光ケーブル１２や光ファイバーコード１３を押圧するために圧力に弱い光ケーブル１２や光ファイバーコード１３も容易に固定することができる。
【００２１】
尚、本実施例において、図６に示すように複数の光ケーブルや光ファイバーコード１３を固定片１５，１６の一つの凹部１５ｂ，１６ｂに遊嵌させて固定する等、光ケーブルや光ファイバーコードの固定方法に限定はない。
【００２２】
また、本実施例において、クッション部材に螺子挿通孔を穿設したが、長さ寸法を小さくして螺子間より小さい寸法に形成すれば螺子挿通孔を穿設する必要はなく、また、螺子の数量は二個に限らず図７に示すように螺子２０の数量を増やしても何ら問題なく、また、クッション部材の材質に限定はない。
【００２３】
【発明の効果】
以上のように本発明に係る配線固定具は、光ケーブル及び／又は光ファイバーコードの接続に使用するための光成端箱の内部に設けられ、光ケーブル及び／又は光ファイバーコードを光成端箱に固定するための配線固定具であって、平板状の基部の両側縁を折曲して基部と折曲部とで断面略コ字状に形成した固定片と、固定片に内挿されるクッション部材と、クッション部材を押圧する押圧板とで成り、固定片は基部から両側の折曲部にかけて切り欠いてクッション部材が露出される凹部を複数並設し、凹部に光ケーブル及び／又は光ファイバーコードを配置して押圧板と固定片の基部とに穿設した螺子挿通孔に螺子を挿通させて螺子を光成端箱に締め付けると、押圧板がクッション部材を押圧して光ケーブル及び／又は光ファイバーコードを固定することにより、圧力に弱い光ケーブル及び／又は光ファイバーコードとか直径の異なる複数の光ケーブル及び／又は光ファイバーコードを容易に固定することができるという優れた効果がある。
【００２４】
また、第一のクッション部材を内挿した第一の固定片の下側に第二のクッション部材を内挿した第二の固定片の凹部が前記第一の固定片の凹部と対向するように配置し、第一の固定片の凹部と第二の固定片の凹部との間に光ケーブル及び／又は光ファイバーコードを配置し、第一のクッション部材に当接させた押圧板と、第一の固定片の基部と、第二の固定片の基部とに穿設した螺子挿通孔に螺子を挿通させて螺子を光成端箱に締め付けると、押圧板が第一のクッション部材と第二のクッション部材とを押圧して光ケーブル及び／又は光ファイバーコードを固定することにより、圧力に弱い光ケーブル及び／又は光ファイバーコードとか直径の異なる複数の光ケーブル及び／又は光ファイバーコードを容易に固定することができるという優れた効果がある。
【図面の簡単な説明】
【図１】  本発明の第一実施例に係る配線固定具を配置した光成端箱を示す正面図である。
【図２】  本発明の第一実施例に係る配線固定具を示す分解斜視図である。
【図３】  本発明の第一実施例に係る配線固定具により光ケーブルを固定した様子を示す斜視図である。
【図４】  本発明の第二実施例に係る配線固定具を配置した光成端箱を示す正面図である。
【図５】  本発明の第二実施例に係る配線固定具を示す斜視図である。
【図６】  本発明の第二実施例に係る配線固定具を示す平面図である。
【図７】  本発明の第二実施例に係る配線固定具を示す平面図である。
【符号の説明】
１      配線固定具
２      光ケーブル
３      光ファイバーコード
４      光成端箱
５      固定片
５ａ    基部
５ｂ    凹部
５ｃ    螺子挿通孔
５ｄ    折曲部
６      クッション部材
６ａ    螺子挿通孔
７      押圧板
７ａ    螺子挿通孔
８      螺子
【図１】
0004079567.tif 000002
【図２】
0004079567.tif 000003
【図３】
0004079567.tif 000004
【図４】
0004079567.tif 000005
【図５】
0004079567.tif 000006
【図６】
0004079567.tif 000007
【図７】
0004079567.tif 000008